(57)【特許請求の範囲】
【請求項１】
昇降路内に設置された釣合おもり用ガイドレール同士の間隔よりも短く形成され、立った状態の複数の長尺物を載置可能な底梁と、
前面及び背面を有し、前記底梁に対して垂直な状態で下端部が前記底梁の一端部と連結された第１立柱と、
前面及び背面を有し、前記底梁に対して垂直な状態で下端部が前記底梁の他端部と連結され、前記底梁の長手方向において前記第１立柱と対向する第２立柱と、
前記第１立柱の前面と前記第２立柱の前面とを連結する第１連結板と、
前記第１立柱の背面と前記第２立柱の背面とを連結する第２連結板と、
前記第１立柱から外向きに突出し、一方の釣合おもり用ガイドレールに沿って移動するガイドシューが取り付けられる第１ガイドシュー取付部材と、
前記第２立柱から外向きに突出し、他方の釣合おもり用ガイドレールに沿って移動するガイドシューが取り付けられる第２ガイドシュー取付部材と、
を備え、
上下方向から見て前記第１立柱の上端と前記第２立柱の上端との間は開放され、前記第１立柱、前記第２立柱、前記第１連結板及び前記第２連結板によって囲まれた範囲に立った状態の長尺物が積載されるエレベーター用長尺物運搬治具。
【請求項２】
前記第１立柱及び前記第２立柱は、前記底梁に対して着脱可能に形成された請求項１に記載のエレベーター用長尺物運搬治具。
【請求項３】
前記第１ガイドシュー取付部材は、前記第１立柱に対して着脱可能に形成され、
前記第２ガイドシュー取付部材は、前記第２立柱に対して着脱可能に形成された請求項１又は２に記載のエレベーター用長尺物運搬治具。
【請求項４】
前記第１連結板は、前記第１立柱及び前記第２立柱の長手方向における中心よりも上側に配置され、
前記第２連結板は、前記第１連結板と対向して配置され、ロープが取り付けられるロープ取付部材によって前記第１連結板と連結された請求項１から３のいずれか１項に記載のエレベーター用長尺物運搬治具。
【請求項５】
前記第２連結板よりも上側で前記第１立柱の背面と前記第２立柱の背面とを連結する第３連結板を備えた請求項４に記載のエレベーター用長尺物運搬治具。
【請求項６】
請求項１から５のいずれか１項に記載の長尺物運搬治具を釣合おもり用ガイドレールに沿って移動可能な状態で昇降路内に吊り下げる治具設置工程と、
現時点で上から２番目にあるガイドレールの位置まで前記長尺物運搬治具を移動させる取り外し準備工程と、
現時点で最も上側にある複数のガイドレールを前記長尺物運搬治具に積載する取り外し工程と、
既設のガイドレールを積載した前記長尺物運搬治具を荷捌き階まで移動させる搬出準備工程と、
前記長尺物運搬治具に積載されていた複数のガイドレールを前記荷捌き階の乗場へ搬出する搬出工程と、
を備えたエレベーターのガイドレール撤去方法。
【請求項７】
請求項１から５のいずれか１項に記載の長尺物運搬治具を釣合おもり用ガイドレールに沿って移動可能な状態で昇降路内に吊り下げる治具設置工程と、
荷捌き階の乗場から搬入した複数のガイドレールを前記長尺物運搬治具に積載する搬入工程と、
現時点で最も上側にあるガイドレールの位置まで前記長尺物運搬治具を移動させる取り付け準備工程と、
前記長尺物運搬治具に積載されていた複数のガイドレールを取り付ける取り付け工程と、
前記長尺物運搬治具を前記荷捌き階まで移動させる搬入準備工程と、
を備えたエレベーターのガイドレール設置方法。
【発明の詳細な説明】
【技術分野】
【０００１】
この発明は、エレベーター用長尺物運搬治具、エレベーターのガイドレール撤去方法及びエレベーターのガイドレール設置方法に関する。
【背景技術】
【０００２】
エレベーターのかご及び釣合おもりの移動は、昇降路内に設置されたガイドレールによって案内される。ガイドレールを撤去又は設置する方法として、例えば、下記特許文献１に記載されたものがある。
【先行技術文献】
【特許文献】
【０００３】
【特許文献１】日本特開平１１−３４９２５５号公報
【発明の概要】
【発明が解決しようとする課題】
【０００４】
従来、ガイドレール等の昇降路内で用いられる長尺物を撤去又は設置する際には、長尺物が１本ずつ移動される。このため、昇降路内で長尺物を運搬するためには多大な時間を要する。【０００５】
この発明は、上記の課題を解決するためになされた。その目的は、昇降路内での長尺物の運搬に要する時間を短縮することができるエレベーター用長尺物運搬治具、エレベーターのガイドレール撤去方法及びエレベーターのガイドレール設置方法を提供することである。
【課題を解決するための手段】
【０００６】
この発明に係るエレベーター用長尺物運搬治具は、昇降路内に設置された釣合おもり用ガイドレール同士の間隔よりも短く形成され、立った状態の複数の長尺物を載置可能な底梁と、前面及び背面を有し、底梁に対して垂直な状態で下端部が底梁の一端部と連結された第１立柱と、前面及び背面を有し、底梁に対して垂直な状態で下端部が底梁の他端部と連結され、底梁の長手方向において第１立柱と対向する第２立柱と、第１立柱の前面と第２立柱の前面とを連結する第１連結板と、第１立柱の背面と第２立柱の背面とを連結する第２連結板と、第１立柱から外向きに突出し、一方の釣合おもり用ガイドレールに沿って移動するガイドシューが取り付けられる第１ガイドシュー取付部材と、第２立柱から外向きに突出し、他方の釣合おもり用ガイドレールに沿って移動するガイドシューが取り付けられる第２ガイドシュー取付部材と、を備え、上下方向から見て第１立柱の上端と第２立柱の上端との間は開放され、第１立柱、第２立柱、第１連結板及び第２連結板によって囲まれた範囲に立った状態の長尺物が積載されるものである。
【０００７】
この発明に係るエレベーターのガイドレール撤去方法は、上記の長尺物運搬治具を釣合おもり用ガイドレールに沿って移動可能な状態で昇降路内に吊り下げる治具設置工程と、現時点で上から２番目にあるガイドレールの位置まで長尺物運搬治具を移動させる取り外し準備工程と、現時点で最も上側にある複数のガイドレールを長尺物運搬治具に積載する取り外し工程と、既設のガイドレールを積載した長尺物運搬治具を荷捌き階まで移動させる搬出準備工程と、長尺物運搬治具に積載されていた複数のガイドレールを荷捌き階の乗場へ搬出する搬出工程と、を備える。【０００８】
この発明に係るエレベーターのガイドレール設置方法は、上記の長尺物運搬治具を釣合おもり用ガイドレールに沿って移動可能な状態で昇降路内に吊り下げる治具設置工程と、荷捌き階の乗場から搬入した複数のガイドレールを長尺物運搬治具に積載する搬入工程と、現時点で最も上側にあるガイドレールの位置まで長尺物運搬治具を移動させる取り付け準備工程と、長尺物運搬治具に積載されていた複数のガイドレールを取り付ける取り付け工程と、長尺物運搬治具を荷捌き階まで移動させる搬入準備工程と、を備える。
【発明の効果】
【０００９】
この発明によれば、エレベーター用長尺物運搬治具の底梁には、複数の長尺物を載置可能である。このため、昇降路内での長尺物の運搬に要する時間を短縮することができる。
【図面の簡単な説明】
【００１０】
【図１】実施の形態１におけるエレベーター用長尺物運搬治具の正面図である。
【図２】実施の形態１におけるエレベーター用長尺物運搬治具の側面図である。
【図３】実施の形態１におけるエレベーター用長尺物運搬治具の上面図である。
【図４】実施の形態１におけるエレベーター用長尺物運搬治具の使用時の状態を示す上面図である。
【図５】実施の形態１におけるエレベーター用長尺物運搬治具の使用方法を説明するための模式図である。
【図６】実施の形態１におけるエレベーター用長尺物運搬治具に長尺物を積載した状態を示す正面図である。
【図７】実施の形態１におけるエレベーター用長尺物運搬治具に長尺物を積載した状態を示す側面図である。
【図８】実施の形態１におけるエレベーター用長尺物運搬治具に長尺物を積載した状態を示す上面図である。
【図９】実施の形態１におけるエレベーター用長尺物運搬治具を用いたガイドレール撤去方法を説明するためのフローチャートである。
【図１０】実施の形態１におけるエレベーター用長尺物運搬治具を用いたガイドレール設置方法を説明するためのフローチャートである。
【発明を実施するための形態】
【００１１】
添付の図面を参照して、この発明を実施するための形態について説明する。各図では、同一又は相当する部分に同一の符号が付される。重複する説明は、適宜簡略化あるいは省略する。
【００１２】
実施の形態１．
図１は、実施の形態１におけるエレベーター用長尺物運搬治具の正面図である。図２は、実施の形態１におけるエレベーター用長尺物運搬治具の側面図である。図３は、実施の形態１におけるエレベーター用長尺物運搬治具の上面図である。
【００１３】
図１から図３に示すように、長尺物運搬治具１は、底梁２、第１立柱３、第２立柱４、固定部材５、第１連結板６、第２連結板７、第３連結板８、ロープ取付部材９、第１ガイドシュー取付部材１０及び第２ガイドシュー取付部材１１を備える。固定部材５、第１ガイドシュー取付部材１０及び第２ガイドシュー取付部材１１は、例えば、複数用いられる。長尺物運搬治具１の各部材は、例えば、鉄等の材料で形成される。
【００１４】
底梁２、第１立柱３及び第２立柱４としては、例えば、溝形鋼又はＨ形鋼等が用いられる。第２立柱４は、例えば、第１立柱３と同一の形状及び大きさに形成される。固定部材５は、例えば、板状を呈する。
【００１５】
第１立柱３の下端部は、例えば、固定部材５を介して底梁２の一端部と連結される。第２立柱４の下端部は、例えば、固定部材５を介して底梁２の他端部と連結される。固定部材５は、例えば、ボルト及びナット等で底梁２、第１立柱３及び第２立柱４の前面又は背面に固定される。第２立柱４は、底梁２の長手方向において第１立柱３と対向する。
【００１６】
第１連結板６、第２連結板７及び第３連結板８は、例えば、板状を呈する。第２連結板７及び第３連結板８は、例えば、複数の支持部１２を有してもよい。支持部１２は、例えば、第２連結板７又は第３連結板８の一方の面から突出するように形成される。支持部１２は、例えば、第２連結板７又は第３連結板８の長手方向に沿って並んで配置される。第３連結板８は、例えば、第２連結板７と同一の形状及び大きさに形成される。
【００１７】
ロープ取付部材９としては、例えば、Ｈ形鋼が用いられる。ロープ取付部材９は、例えば、取付穴１３を有する。取付穴１３は、例えば、上下方向から見たロープ取付部材９の中央に形成される。
【００１８】
第１連結板６は、例えば、第１立柱３の前面と第２立柱４の前面とを連結する。第１連結板６は、例えば、ボルト及びナット等で第１立柱３及び第２立柱４の前面に固定される。第１連結板６は、例えば、底梁２と平行に配置される。第１連結板６は、例えば、第１立柱３及び第２立柱４の長手方向における中心よりも上側に配置される。
【００１９】
第２連結板７は、例えば、支持部１２が形成された面を手前に向けた状態で、第１立柱３の背面と第２立柱４の背面とを連結する。第２連結板７は、例えば、ボルト及びナット等で第１立柱３及び第２立柱４の背面に固定される。第２連結板７は、例えば、底梁２と平行に配置される。第２連結板７は、例えば、第１立柱３及び第２立柱４の長手方向における中心よりも上側に配置される。第２連結板７は、例えば、第１連結板６と同じ高さに配置される。つまり、第２連結板７は、例えば、奥行き方向において第１連結板６と対向する。
【００２０】
第３連結板８は、例えば、支持部１２が形成された面を手前に向けた状態で、第１立柱３の背面と第２立柱４の背面とを連結する。第３連結板８は、例えば、ボルト及びナット等で第１立柱３及び第２立柱４の背面に固定される。第３連結板８は、例えば、底梁２と平行に配置される。第３連結板８は、例えば、第２連結板７よりも上側に配置される。第３連結板８は、例えば、第１立柱３及び第２立柱４の上端付近に配置される。
【００２１】
ロープ取付部材９は、例えば、第１連結板６と第２連結板７とを連結する。ロープ取付部材９は、例えば、ボルト及びナット等で第１連結板６及び第２連結板７に固定される。ロープ取付部材９は、例えば、上下方向から見て、底梁２の長手方向における中央と重なる位置に配置される。ロープ取付部材９は、例えば、上下方向から見て、底梁２の長手方向における中心と取付穴１３とが重なるように配置される。
【００２２】
第１ガイドシュー取付部材１０及び第２ガイドシュー取付部材１１は、例えば、Ｌ字状を呈する。第２ガイドシュー取付部材１１は、例えば、第１ガイドシュー取付部材１０と同一の形状及び大きさに形成される。
【００２３】
第１ガイドシュー取付部材１０は、例えば、第１立柱３から外向きに突出するように設けられる。第１ガイドシュー取付部材１０は、例えば、ボルト及びナット等で第１立柱３の側面に固定される。例えば、２つの第１ガイドシュー取付部材１０が用いられる場合、一方は第１立柱３の長手方向における中心よりも上側に配置され、他方は当該中心よりも下側に配置される。
【００２４】
第２ガイドシュー取付部材１１は、例えば、第２立柱４から外向きに突出するように設けられる。第２ガイドシュー取付部材１１は、例えば、ボルト及びナット等で第２立柱４の側面に固定される。例えば、２つの第２ガイドシュー取付部材１１が用いられる場合、一方は第２立柱４の長手方向における中心よりも上側に配置され、他方は当該中心よりも下側に配置される。第２ガイドシュー取付部材１１は、例えば、第１ガイドシュー取付部材１０と同じ高さに配置される。
【００２５】
第１立柱３及び第２立柱４は、底梁２に対して着脱可能である。第１連結板６、第２連結板７及び第３連結板８は、第１立柱３及び第２立柱４に対して着脱可能である。ロープ取付部材９は、第２連結板７及び第３連結板８に対して着脱可能である。第１ガイドシュー取付部材１０は、第１立柱３に対して着脱可能である。第２ガイドシュー取付部材１１は、第２立柱４に対して着脱可能である。つまり、長尺物運搬治具１は、必要に応じて各部材に解体すること及び各部材から組み立てることが可能である。
【００２６】
図４は、実施の形態１におけるエレベーター用長尺物運搬治具の使用時の状態を示す上面図である。
【００２７】
長尺物運搬治具１は、使用時に、図示しないワイヤーロープ等でエレベーターの昇降路内に吊り下げられる。ワイヤーロープ等は、ロープ取付部材９の取付穴１３を介して固定される。図４に示すように、第１ガイドシュー取付部材１０及び第２ガイドシュー取付部材１１には、ガイドシュー１４が取り付けられる。これらのガイドシュー１４は、昇降路内に設置された一対の釣合おもり用ガイドレール１５に沿って移動可能である。つまり、長尺物運搬治具１は、釣合おもり用ガイドレール１５に沿って移動可能な状態で昇降路内に吊り下げられる。
【００２８】
第１ガイドシュー取付部材１０及び第２ガイドシュー取付部材１１は、例えば、複数の種類のガイドシュー１４を着脱可能に形成される。ガイドシュー１４は、例えば、スライディングガイドシューでもよいし、ローラーガイドシューでもよい。
【００２９】
底梁２、第１連結板６、第２連結板７及び第３連結板８は、釣合おもり用ガイドレール１５同士の間隔よりも短く形成されている。長尺物運搬治具１は、例えば、大きさの異なる複数の第１ガイドシュー取付部材１０及び第２ガイドシュー取付部材１１を備える。第１ガイドシュー取付部材１０及び第２ガイドシュー取付部材１１は、例えば、釣合おもり用ガイドレール１５同士の間隔に応じて、適切な大きさのものに取り替えられる。
【００３０】
図５は、実施の形態１におけるエレベーター用長尺物運搬治具の使用方法を説明するための模式図である。図５は、一例として、エレベーターのガイドレールを撤去又は設置する作業の途中の状態を示している。
【００３１】
図５に示すように、長尺物運搬治具１は、使用時に昇降路１６内に設置される。機械室１７には、例えば、ウインチ１８及びウインチ１９が一時的に設置される。長尺物運搬治具１は、例えば、ウインチ１８のワイヤーロープ２０で吊り下げられる。かご２１は、例えば、ウインチ１９のワイヤーロープ２２で吊り下げられる。なお、ウインチ１８及びウインチ１９は、例えば、昇降路１６内の図示しない梁などに設置されてもよい。
【００３２】
図５に示す状態において、長尺物運搬治具１は、ウインチ１８が動作することにより、昇降路１６に設置されている一対の釣合おもり用ガイドレール１５に沿って移動可能である。図５に示す状態において、かご２１は、ウインチ１９が動作することにより、昇降路１６に設置されている一対のかご用ガイドレール２３に沿って移動可能である。ウインチ１８及びウインチ１９は、例えば、かご２１の上に乗った作業員２４により、図示しない操作部を介して操作される。
【００３３】
ガイドレールを撤去する場合、作業員２４は、取り外された既設のガイドレールを積載した長尺物運搬治具１を荷捌き階まで移動させる。ガイドレールを設置する場合、作業員２４は、新設のガイドレールを積載した長尺物運搬治具１を荷捌き階から取り付け位置まで移動させる。荷捌き階とは、昇降路１６内から乗場への搬出及び乗場から昇降路１６内への搬入を行う階である。荷捌き階は、例えば、かご２１が移動可能な最下階である。なお、長尺物運搬治具１へのガイドレールの積み降ろしは、例えば、図示しない他のウインチ等の装置を用いて行われる。
【００３４】
図６は、実施の形態１におけるエレベーター用長尺物運搬治具に長尺物を積載した状態を示す正面図である。図７は、実施の形態１におけるエレベーター用長尺物運搬治具に長尺物を積載した状態を示す側面図である。図８は、実施の形態１におけるエレベーター用長尺物運搬治具に長尺物を積載した状態を示す上面図である。図６から図８は、４本の長尺物２５を同時に長尺物運搬治具１に積載した状態を示している。
【００３５】
図６及び図７に示すように、長尺物２５は、例えば、底梁２に下端が接した状態で長尺物運搬治具１に積載される。底梁２には、例えば、立った状態の４本の長尺物２５を載置可能である。
【００３６】
長尺物運搬治具１に積載された状態の長尺物２５は、例えば、支持部１２によって横方向への動きが規制される。図８は、積載された長尺物２５がガイドレールである場合を例示している。図８に示すガイドレールは、隣接する２つの支持部１２の間に凸部を挟まれるようにして積載されている。この場合、隣接する２つの支持部１２の間隔は、例えば、ガイドレールの凸部の厚さに基づいて設定されている。
【００３７】
図９は、実施の形態１におけるエレベーター用長尺物運搬治具を用いたガイドレール撤去方法を説明するためのフローチャートである。
【００３８】
ステップＳ１０１では、治具設置工程が実施される。治具設置工程において、作業員は、長尺物運搬治具１を釣合おもり用ガイドレール１５に沿って移動可能な状態で昇降路１６内に吊り下げる。治具設置工程は、長尺物運搬治具１を各部材から組み立てる工程を含んでもよい。ステップＳ１０１の次は、ステップＳ１０２の工程が実施される。
【００３９】
ステップＳ１０２では、取り外し準備工程が実施される。取り外し準備工程において、作業員は、現時点で上から２番目にあるガイドレールの位置まで長尺物運搬治具１を移動させる。ステップＳ１０２の次は、ステップＳ１０３の工程が実施される。
【００４０】
ステップＳ１０３では、取り外し工程が実施される。取り外し工程において、作業員は、現時点で最も上側にある複数のガイドレールを長尺物運搬治具１に積載する。取り外し工程では、例えば、２本の釣合おもり用ガイドレール１５及び２本のかご用ガイドレール２３が取り外され、長尺物運搬治具１に積み込まれる。ステップＳ１０３の次は、ステップＳ１０４の工程が実施される。
【００４１】
ステップＳ１０４では、搬出準備工程が実施される。搬出準備工程において、作業員は、取り外された既設のガイドレールを積載した長尺物運搬治具１を荷捌き階まで移動させる。ステップＳ１０４の次は、ステップＳ１０５の工程が実施される。
【００４２】
ステップＳ１０５では、搬出工程が実施される。搬出工程において、作業員は、長尺物運搬治具１に積載されていた複数のガイドレールを荷捌き階の乗場へ搬出する。
【００４３】
ステップＳ１０５の次は、取り外すべきガイドレールがまだ残っているか否かの判断が行われる（ステップＳ１０６）。取り外すべきガイドレールが残っている場合、ステップＳ１０２からステップＳ１０５の工程が繰り返される。取り外すべきガイドレールが残っていない場合、ステップＳ１０７の工程が実施される。
【００４４】
ステップＳ１０７では、治具撤去工程が実施される。治具撤去工程において、作業員は、長尺物運搬治具１を昇降路１６内から撤去する。治具撤去工程は、長尺物運搬治具１を各部材に解体する工程を含んでもよい。
【００４５】
図１０は、実施の形態１におけるエレベーター用長尺物運搬治具を用いたガイドレール設置方法を説明するためのフローチャートである。
【００４６】
ステップＳ２０１では、ステップＳ１０１と同様の治具設置工程が実施される。ステップＳ２０１の次は、ステップＳ２０２の工程が実施される。
【００４７】
ステップＳ２０２では、搬入工程が実施される。搬入工程において、作業員は、荷捌き階の乗場から搬入した複数のガイドレールを長尺物運搬治具１に積載する。搬入工程では、例えば、２本の釣合おもり用ガイドレール１５及び２本のかご用ガイドレール２３が長尺物運搬治具１に積み込まれる。ステップＳ２０２の次は、ステップＳ２０３の工程が実施される。
【００４８】
ステップＳ２０３では、取り付け準備工程が実施される。取り付け準備工程において、作業員は、現時点で最も上側にあるガイドレールの位置まで長尺物運搬治具１を移動させる。ステップＳ２０３の次は、ステップＳ２０４の工程が実施される。
【００４９】
ステップＳ２０４では、取り付け工程が実施される。取り付け工程において、作業員は、長尺物運搬治具１に積載されていた複数のガイドレールを取り付ける。ステップＳ２０４の次は、ステップＳ２０５の工程が実施される。
【００５０】
ステップＳ２０５では、搬入準備工程が実施される。搬入準備工程において、作業員は、長尺物運搬治具１を荷捌き階まで移動させる。
【００５１】
ステップＳ２０５の次は、取り付けるべきガイドレールがまだ残っているか否かの判断が行われる（ステップＳ２０６）。取り付けるべきガイドレールが残っている場合、ステップＳ２０２からステップＳ２０５の工程が繰り返される。取り付けるべきガイドレールが残っていない場合、ステップＳ２０７の工程が実施される。
【００５２】
ステップＳ２０７では、ステップＳ１０７と同様の治具撤去工程が実施される。
【００５３】
実施の形態１において、底梁２は、昇降路１６内に設置された一対の釣合おもり用ガイドレール１５同士の間隔よりも短く形成され、立った状態の複数の長尺物２５を載置可能である。第１ガイドシュー取付部材１０には、第１立柱３から外向きに突出し、昇降路１６内に設置された一方の釣合おもり用ガイドレール１５に沿って移動する。ガイドシュー１４が取り付けられる。第２ガイドシュー取付部材１１には、第２立柱４から外向きに突出し、昇降路１６内に設置された他方の釣合おもり用ガイドレール１５に沿って移動するガイドシュー１４が取り付けられる。このため、昇降路内での長尺物の運搬に要する時間を短縮することができる。特に、高層建築物でのエレベーター工事に要する時間を大幅に短縮することができる。また、長尺物の運搬時の安定性を向上させることができる。
【００５４】
実施の形態１において、第１立柱３及び第２立柱４は、底梁２に対して着脱可能に形成されている。つまり、長尺物運搬治具１は、組み立て及び分解することが可能である。このため、作業現場への長尺物運搬治具の搬入及び搬出が容易である。
【００５５】
実施の形態１において、第１ガイドシュー取付部材１０は、第１立柱３に対して着脱可能である。第２ガイドシュー取付部材１１は、第２立柱４に対して着脱可能である。このため、必要に応じて立柱から外向きへの突出量が異なるガイドシュー取付部材に取り替えることで、ガイドレール同士の間隔が異なる複数のエレベーターで長尺物運搬治具を使用できる。
【００５６】
実施の形態１において、第１連結板６は、第１立柱３及び第２立柱４の長手方向における中心よりも上側で、第１立柱３の前面と第２立柱４の前面とを連結する。第２連結板７は、第１立柱３の背面と第２立柱４の背面とを連結し、第１連結板６と対向する。つまり、ロープ取付部材９は、長尺物運搬治具１の長手方向の中心よりも高い位置にある。このため、長尺物の運搬時の安定性をより向上させることができる。
【００５７】
実施の形態１において、第３連結板８は、第２連結板７よりも上側で第１立柱３の背面と第２立柱４の背面とを連結する。つまり、長尺物運搬治具１の上端部には、背面側にのみ連結板が設けられる。このため、高い強度を有し、且つ、正面側から長尺物を積み込み易い長尺物運搬治具を実現できる。
【００５８】
実施の形態１において、ガイドレール撤去方法は、現時点で最も上側にある複数のガイドレールを長尺物運搬治具１に積載する取り外し工程を備える。ガイドレール設置方法は、荷捌き階の乗場から搬入した複数のガイドレールを長尺物運搬治具１に積載する搬入工程を備える。このため、昇降路内での長尺物の運搬に要する時間を短縮することができる。
【００５９】
実施の形態１において、長尺物運搬治具１は、例えば、第１連結板６を複数備えてもよい。長尺物運搬治具１は、例えば、第２連結板７を複数備えてもよい。第１連結板６及び第２連結板７は、例えば、第１立柱３及び第２立柱４の長手方向における中心よりも下側に配置されてもよい。第１連結板６及び第２連結板７は、例えば、第１立柱３及び第２立柱４の上端付近に配置されてもよい。ロープ取付部材９は、例えば、第１立柱３及び第２立柱４の長手方向における中心よりも下側又は上端付近の高さに配置されてもよい。
【００６０】
なお、長尺物運搬治具１に積載される長尺物２５は、ガイドレールに限らない。長尺物２５は、昇降路１６内で用いられるものであれば、例えば、梁、Ｈ形鋼、Ｉ形鋼又は単管パイプ等でもよい。支持部１２の形状、大きさ及び数は、例えば、対象とする長尺物２５の断面形状に応じて変更してもよい。
【産業上の利用可能性】
【００６１】
以上のように、この発明は、エレベーターの昇降路内での長尺物の運搬に利用できる。
【符号の説明】
【００６２】
１  長尺物運搬治具
２  底梁
３  第１立柱
４  第２立柱
５  固定部材
６  第１連結板
７  第２連結板
８  第３連結板
９  ロープ取付部材
１０  第１ガイドシュー取付部材
１１  第２ガイドシュー取付部材
１２  支持部
１３  取付穴
１４  ガイドシュー
１５  釣合おもり用ガイドレール
１６  昇降路
１７  機械室
１８  ウインチ
１９  ウインチ
２０  ワイヤーロープ
２１  かご
２２  ワイヤーロープ
２３  かご用ガイドレール
２４  作業員
２５  長尺物
【要約】
昇降路内での長尺物の運搬に要する時間を短縮することができるエレベーター用長尺物運搬治具を提供する。この発明に係るエレベーター用長尺物運搬治具（１）は、昇降路（１６）内に設置された釣合おもり用ガイドレール（１５）同士の間隔よりも短く形成され、立った状態の複数の長尺物（２５）を載置可能な底梁（２）と、下端部が底梁（２）の一端部と連結された第１立柱（３）と、下端部が底梁（２）の他端部と連結され、底梁（２）の長手方向において第１立柱（３）と対向する第２立柱（４）と、第１立柱（３）から外向きに突出し、一方の釣合おもり用ガイドレール（１５）に沿って移動するガイドシュー（１４）が取り付けられる第１ガイドシュー取付部材（１０）と、第２立柱（４）から外向きに突出し、他方の釣合おもり用ガイドレール（１５）に沿って移動するガイドシュー（１４）が取り付けられる第２ガイドシュー取付部材（１１）と、を備える。【図１】
0006439880.tif 000002
【図２】
0006439880.tif 000003
【図３】
0006439880.tif 000004
【図４】
0006439880.tif 000005
【図５】
0006439880.tif 000006
【図６】
0006439880.tif 000007
【図７】
0006439880.tif 000008
【図８】
0006439880.tif 000009
【図９】
0006439880.tif 000010
【図１０】
0006439880.tif 000011